(57)【特許請求の範囲】
【請求項１】
電界伝達媒体に電界を誘起して通信を行うための電極板を有する電界通信装置において、
一対の＋側電極板と−側電極板により構成された前記電極板と、
前記電界伝達媒体に電界を誘起させるための駆動回路を構成する駆動回路基板と、
前記駆動回路基板の片側全面に設けられて前記−側電極板として動作するグランド面と、
を備え、
前記駆動回路基板に電源を供給するための電池が当該駆動回路基板と重ねずに並置されていることを特徴とする電界通信装置。
【発明の詳細な説明】
【技術分野】
【０００１】
本発明は、電界伝達媒体に電界を誘起して通信を行うための電界通信装置に関する。
【背景技術】
【０００２】
従来において、電界を人体などの電界伝達媒体に誘起させて、この誘起した電界を介して様々な情報通信を行う電界通信システムが提案されている。この電界通信システムは送信手段と受信手段あるいはそのいずれか一方を備えた電界通信装置を人間が所持し、他の人間や設備（ＰＣ、駅の改札、自動販売機、ドアや門扉など）に同様の電界通信装置を所持あるいは設置し、目的に応じた情報通信を行っている。この情報通信によりセキュリティ認証や課金、位置などのデータ収集などが可能になっている（特許文献１参照）。
【０００３】
このような電界通信装置を電界通信手段として用いる場合、互いに絶縁され隔離された−側電極と＋側電極の組からなる電極板が電界通信装置に備わる。人体がこの電極に触れることにより、人体内に電界が誘起されて電界伝達媒体となり、電界通信が可能となる。
【０００４】
従来の電界通信装置の構成の一例を図４に示す。図４（ａ）は概略断面図であり、図４（ｂ）は電池の配置を示している。概要を説明すると、電界通信装置の筐体１００の内部には−側電極２０と＋側電極１０が格納されており、それら両電極板の間の空間には駆動回路基板３０が配置されている。駆動回路基板３０は電界通信装置を駆動するための回路を構成している。
【０００５】
この駆動回路基板３０の表面には回路部品７０が配置されており、図示はされていないが回路構成によっては駆動回路基板３０の両面にそれぞれ回路部品７０が配置される。電池４０は図４（ｂ）に示すように駆動回路基板３０の表面に回路部品７０に並べて配置されて電源供給をしている。
【特許文献１】特開２００６−８１１１１
【発明の開示】
【発明が解決しようとする課題】
【０００６】
しかしながら上述のような従来の技術においては、電極板の間に比誘電率が大きく絶縁特性の良くないプリント基板や実装部品、電池４０等を挟んだ構成となり、図４中に示すように電池４０と＋側電極１０の間隔Ｌ’が十分に確保できず、それに起因した容量の上昇により電極板からの出力性能が低下する可能性があった。
【０００７】
本発明は上記を鑑みてなされたものであり、その目的は、電極板間における容量を低くし、良好な出力特性を実現することにある。
【課題を解決するための手段】
【０００８】
上記の目的を達成するために、請求項１に記載の本発明は、電界伝達媒体に電界を誘起して通信を行うための電極板を有する電界通信装置において、一対の＋側電極板と−側電極板により構成された前記電極板と、前記電界伝達媒体に電界を誘起させるための駆動回路を構成する駆動回路基板と、前記駆動回路基板の片側全面に設けられて前記−側電極板として動作するグランド面と、を備え、前記駆動回路基板に電源を供給するための電池が当該駆動回路基板と重ねずに並置されている。
【発明の効果】
【００１１】
本発明によれば、電極板間における容量を低くし、良好な出力特性を実現することができる。
【発明を実施するための最良の形態】
【００１２】
＜第１の実施の形態＞
図１は、本発明の電界通信装置の第１の実施の形態を説明するための概観図を示す。この図１には、電界伝達媒体に結合するための＋側電極１と、グランドと結合するための−側電極２と、前記両電極に接続されて配置され電界通信を行うための駆動回路基板３と、電界通信に必要な構成部材を格納するための筐体８と、からなる電界通信手段の構成例が示されている。
【００１３】
筐体８は電気的な絶縁が保たれた略箱型の容器であり、内部に駆動回路基板３と＋側電極１および−側電極２を収納している。筐体８の大きさは用途により任意に設定されているが、電界通信手段に適用する場合は小型のものが求められる。たとえばクレジットカードサイズと同等の大きさとしてユーザが携帯自在にする必要がある。
【００１４】
このように厚みや面積に制約がある筐体８の内部に電界通信手段を実現するための構成部材を収納するためには、特に、駆動回路基板３と＋側電極１および−側電極２を筐体８の限られた厚みの範囲内に格納する必要がある。
【００１５】
一方、電界通信においてグランド（−側）と結合する−側電極２と、人体などの電界伝達媒体に結合する＋側電極１が互いが接触しないように所定の距離を保ちつつ、筐体８の内部に配置され格納される必要がある。
【００１６】
図２は、本発明の第１の実施の形態に係る電界通信装置の構成の一例を示す。図２（ａ）は概略断面図であり、図２（ｂ）は電池４の配置例を示している。
【００１７】
この構成において、−側電極２は駆動回路基板３の片面全面に構成されている。駆動回路基板３の片面全面に−側電極２を構成する方法としては、駆動回路基板３の製作過程において、片面を全面でグランド面として製作する。あるいは駆動回路基板３の片面に何も回路パターンを形成せず、ここに金属箔などを貼付して密着させ−側電極２としてもよい。
【００１８】
この駆動回路基板３の全面グランドと反対側の面には回路部品７が配置されている。また、電池４は駆動回路基板３上に配置され（図２（ｂ）参照）ている。電池４と駆動回路基板３は電源供給用のリード線や回路パターンなどで結合されている。この図２（ａ）では電池４の＋極５を上に向け、−極６を下に向けて駆動回路基板３へ接続している。
【００１９】
この図２に示した構成により、−側電極２を駆動回路基板３に密着させて形成することができるので、−側電極２と駆動回路基板３を別体に製作して配置する構成に比べて筐体８の内部に占める厚み方向の長さを短くすることができる。＋側電極１と駆動回路基板３上の電池４との距離Ｌも従来に比して十分に長く確保できる。このため＋側電極１と−側電極２との間の容量を低く抑えることができ、電極からのアンテナ効果としての送信・受信特性を良好なものにすることができる。
【００２０】
＜第２の実施の形態＞
図３は、本発明の第２の実施の形態に係る電界通信装置の構成の一例を示している。ｋの第２の実施の形態においては、既に説明した第１の実施の携帯の構成と較べて電池４の配置が異なっている。具体的には電池４を駆動回路基板３上に配置せず、駆動回路基板３の切り欠き部分に駆動回路基板３と並置する。電池４の−極６は−側電極（グランド面）２に接続されている。これにより駆動回路基板３の厚みの分だけ電池４を＋側電極１から離せるので、電池４と＋側電極１との距離Ｌを第１の実施の形態に較べて更に十分に長く確保でき、ここでの比誘電率を低くすることができる。
【００２１】
以上説明した本発明の実施の形態によれば、電極板間における容量を低くし、良好な出力特性を実現することができる。
【図面の簡単な説明】
【００２２】
【図１】本発明の電界通信装置の実施の形態を説明するための概要図を示す。
【図２】本発明の第１の実施の形態を説明するための概略構成を示し、（ａ）は概略断面図であり（ｂ）は電池の配置例を示す。
【図３】本発明の第２の実施の形態を説明するための概略構成を示し、（ａ）は概略断面図であり（ｂ）は電池の配置例を示す。
【図４】従来技術による構成例を示す。
【符号の説明】
【００２３】
１…＋側電極
２…−側電極（グランド面）
３…駆動回路基板
４…電池
５…＋極
６…−極
７…回路部品
８…筐体
【図１】
0004616366.tif 000002
【図２】
0004616366.tif 000003
【図３】
0004616366.tif 000004
【図４】
0004616366.tif 000005